(57)【要約】【課題】ラッチレバーの先端部の軌跡を低い位置に定めてラッチレバーを好適に収容できるように回動と滑動または回動と枢動の二段作動を行って開放作動されるラッチ機構が設けられる。【解決手段】電子部品が装着される案内部材と、該案内部材が設置されるソケット本体と、該ソケット本体に対して上下動可能に設けられた操作部材と、前記案内部材に装着された電子部品を保持するラッチ機構と、前記電子部品と接続される複数個のコンタクトとを有するＩＣソケットにおいて、前記ラッチ機構が、回動と滑動との二段作動を行って開放作動されるラッチレバーを有する。【選択図】　　　　図１
2004063224.tif 000002
【特許請求の範囲】
【請求項１】
電子部品が装着される案内部材と、該案内部材が設置されるソケット本体と、該ソケット本体に対して上下動可能に設けられた操作部材と、前記案内部材に装着された電子部品を保持するラッチ機構と、前記電子部品と接続される複数個のコンタクトとを有するＩＣソケットにおいて、
前記ラッチ機構は、回動と滑動との二段作動を行って開放作動されるラッチレバーを有することを特徴とするＩＣソケット。
【請求項２】
前記ラッチレバーは、レバー本体と、該レバー本体の上方内側に向って彎曲したアーム部とを有し、下部内側に枢支ピン部が設けられたことを特徴とする請求項１記載のＩＣソケット。
【請求項３】
前記ラッチレバーの枢支ピン部が滑動する下方に傾斜した案内溝が設けられていることを特徴とする請求項２記載のＩＣソケット。
【請求項４】
前記ラッチレバーは、前記枢支ピン部まわりに一段目の回動を行い、ついで前記枢支ピン部が前記案内溝に沿って下方斜めに二段目の滑動を行って開放されることを特徴とする請求項３記載のＩＣソケット。
【請求項５】
電子部品が装着される案内部材と、該案内部材が設置されるソケット本体と、該ソケット本体に対して上下動可能に設けられた操作部材と、前記案内部材に装着された電子部品を保持するラッチ機構と、前記電子部品と接続される複数個のコンタクトとを有するＩＣソケットにおいて、
前記ラッチ機構は、回動と枢動の二段作動を行って開放作動されるラッチレバーを有することを特徴とするＩＣソケット。
【請求項６】
前記ラッチレバーは、レバー本体と、該レバー本体の上方内側に向って彎曲したアーム部とを有し、上部に回動軸が設けられ、下部内側に枢支ピン部が設けられたことを特徴とする請求項５記載のＩＣソケット。
【請求項７】
前記ラッチレバーは、前記回動軸まわりに一段目の回動を行い、ついで前記枢支ピン部まわりに二段目の枢動を行って開放作動されることを特徴とする請求項６記載のＩＣソケット。
【発明の詳細な説明】
【０００１】
【発明の属する技術分野】
本発明は、ＩＣパッケージ等の半導体装置としての電子部品が用いられるＩＣソケットに関するもので、特に、ＩＣパッケージを固持するためのラッチ機構を有するＩＣソケットに関するものである。
【０００２】
【従来の技術】
従来、電子部品としてのＩＣパッケージ等は、ＩＣソケットのソケット本体に装着し、ソケット本体に植設されたコンタクトに対してＩＣパッケージを装着してＩＣパッケージをコンタクトと接続するようにしたＩＣソケットが知られている。
【０００３】
従来のこのようなＩＣソケットにおいては、ピン形や挟み込み形のコンタクトがソケット本体に植設されて、その上にＩＣパッケージを装着して、コンタクトとＩＣパッケージの外部端子とが接続されるように構成されている。
【０００４】
このような従来のＩＣソケットの一例が図５に示されており、図５は、従来のＩＣソケットの中央縦断面図である。
【０００５】
図示されるように、従来におけるＩＣソケット１００は、例えばオープン・トップ・タイプのＩＣソケットで、固定のソケット本体１０２と、このソケット本体１０２に対して上下動可能に設けられて中央に開口部１１６を有するカバー部材としての操作部材１０３と、ソケット本体１０２内に固設された複数個のピン形または挟み込み形のコンタクト１０４と、ソケット本体１０２の中央のベース部１１５上に配置された台板１０５と、ＩＣパッケージ１１０が挿入されて装着されるパッケージ装着部１２２を有する案内部材１０６と、この案内部材１０６のパッケージ装着部１２２に装着されたＩＣパッケージ１１０を加圧して保持するラッチレバー１１２を有するラッチ機構１０７とを具えている。また、コンタクト１０４は、使用されるＩＣパッケージ１１０の外部端子１１１に対応してピン形または挟み込み形のコンタクトとして形成されており、図示の従来例においてはピン形のコンタクトが使用されている。
【０００６】
【発明が解決しようとする課題】
しかしながら、従来におけるこのような電子部品としてのＩＣパッケージ１１０が装着されるＩＣソケット１００においては、操作部材１０３が押し下げられると、押下部材１１８によってラッチ機構１０７のラッチレバー１１２の横方向に突出する突起部１２８が押し下げられて、ラッチレバー１１２が枢支ピン部１２７を回動軸としてこの枢支ピン軸１２７まわりに回動してラッチレバー１１２による押圧が解除されて、ＩＣパッケージ１１０を自由にして解放するようにしているが、開放されたラッチレバー１１２のアーム部１２６の先端部が枢支ピン部１２７を中心として円弧を描いて回動するので、アーム部１２６の先端部の位置が高い位置に位置されて押し下げられた操作部材１０３の上面よりも上方に突き出るために、ラッチレバー１１２を操作部材１０３内に収容しきれなくなり、ラッチレバー１１２の先端部が邪魔になって、ＩＣパッケージ１１０をＩＣソケット１００から取り出すことができなくなる可能性がある。
【０００７】
従って、本発明の目的は、このような従来における問題点を解決するために、ラッチレバーの先端部の軌跡を低い位置に定めてラッチレバーを好適に収容できるように回動と滑動または回動と枢動の二段作動を行って開放作動されるラッチ機構を有するＩＣソケットを提供することにある。
【０００８】
【課題を解決するための手段】
上述した目的を達成するために、本発明のＩＣソケットは、電子部品が装着される案内部材と、該案内部材が設置されるソケット本体と、該ソケット本体に対して上下動可能に設けられた操作部材と、前記案内部材に装着された電子部品を保持するラッチ機構と、前記電子部品と接続される複数個のコンタクトとを有するＩＣソケットにおいて、前記ラッチ機構が、回動と滑動との二段作動を行って開放作動されるラッチレバーを有することを特徴とする。
【０００９】
また、本発明のＩＣソケットは、前記ラッチレバーが、ほぼ台形状の基部と、該基部の上方内側に向って彎曲したアーム部とを有し、下部内側に枢支ピン部が設けられたことを特徴とする。
【００１０】
さらに、本発明のＩＣソケットは、前記ラッチレバーの枢支ピン部が滑動する下方に傾斜した案内溝が設けられていることを特徴とする。
【００１１】
さらにまた、本発明のＩＣソケットは、前記ラッチレバーが、前記枢支ピン部まわりに一段目の回動を行い、ついで前記枢支ピン部が前記案内溝に沿って下方斜めに二段目の滑動を行って開放されることを特徴とする。
【００１２】
本発明のＩＣソケットは、電子部品が装着される案内部材と、該案内部材が設置されるソケット本体と、該ソケット本体に対して上下動可能に設けられた操作部材と、前記案内部材に装着された電子部品を保持するラッチ機構と、前記電子部品と接続される複数個のコンタクトとを有するＩＣソケットにおいて、前記ラッチ機構が、回動と枢動の二段作動を行って開放作動されるラッチレバーを有することを特徴とする。
【００１３】
また、本発明のＩＣソケットは、前記ラッチレバーが、ほぼ台形状の基部と、該基部の上方内側に向って彎曲したアーム部とを有し、上部に回動軸が設けられ、下部内側に枢支ピン部が設けられたことを特徴とする。
【００１４】
さらに、本発明のＩＣソケットは、前記ラッチレバーが、前記回動軸まわりに一段目の回動を行い、ついで前記枢支ピン部まわりに二段目の枢動を行って開放作動されることを特徴とする。
【００１５】
本発明のその他の目的や特徴および利点は、添付図面に示される本発明の実施形態についての以下の詳細な説明から明らかである。
【００１６】
【発明の実施の形態】
（実施例１）
図１は、本発明のＩＣソケットの実施例１を示す図で、本発明のＩＣソケットの中央縦断面図である。
【００１７】
図１に示されるように、本発明の実施例１におけるＩＣソケット１は、例えばオープン・トップ・タイプのＩＣソケットであって、固定のソケット本体２と、このソケット本体２に対して上下動可能に設けられたカバー部材としての操作部材３と、ソケット本体２内に固設された複数個のコンタクト４と、ソケット本体２のベース部１５上に配置された台板５と、ＩＣパッケージ１０が挿入されて装着されるパッケージ装着部２２を有する案内部材６と、装着されたＩＣパッケージ１０を加圧して保持するラッチ機構７とを有している。また、コンタクト４は、使用されるＩＣパッケージ１０の球状、または半球状の半田ボール等の外部端子１１に対してピン形または挟み込み形のコンタクトとして形成されており、図示の本発明の実施例１においては、ピン形のコンタクト４が使用されている。
【００１８】
本発明のこのようなＩＣソケット１において、ソケット本体２は、正方形や長方形等の四角形状の箱形を大体なしていて、中央部分に電子部品としてのＩＣパッケージ１０を装着するための台板５が設けられる山形に突出した段階状のベース部１５が形成されており、このベース部１５上に配置される台板５を挟んで左右両側に対向して一対のラッチ機構７のラッチレバー１２と、一対の押下部材１８とが設けられている。
【００１９】
この固定のソケット本体２に対して上下動可能に設けられた操作部材３は、開口部１６が中央部分に開口したほぼ四角形状の枠形をなしていて、図示しないばね部材によってソケット本体２に対して上下方向に移動可能に弾性支持されたカバー部材を形成しており、中央の開口部１６を挟んで左右両側に下方に垂下する一対の棒状またはロッド状の押下部材１８がラッチ機構７のラッチレバー１２の突起部２８に対応して下方に延びるように設けられていて、押下部材１８の下端面がラッチラバー１２の突起部２８に係合して押下げることができるようになっている。
【００２０】
台板５は、ソケット本体２の中央のベース部１５上に配置されており、このベース部１５を覆うように倒立した逆さの箱形をなしていて、平らな上面２３部分上に、格子状に形成されたパッケージ装着部２２が配設されていて、コンタクト４の先端部が格子の隙間から上方に突出できるようになっており、周囲の側壁部２４が下方に垂下するスカート状に形成されていて、この左右の側壁部２４の中程に下方に傾斜する案内溝１４が形成されており、ラッチ機構７のラッチレバー１２の突起部２８が係合して滑動できるように形成されている。
【００２１】
また、ＩＣパッケージ１０が装着される案内部材６は、操作部材３の開口部１６に対応した平面形状に形成されており、中央部にほぼ四角形に開口した空間部分が形成されていてＩＣパッケージ１０を装着するためのパッケージ装着部２２が設けられており、このパッケージ装着部２２に向ってＩＣパッケージ１０を装着すべく案内するための傾斜したガイド部分が設けられている。
【００２２】
さらに、ラッチ機構７は、ラッチレバー１２を有しており、このラッチレバー１２は、ほぼ三角形状のレバー本体２１と、このレバー本体２１から上方に延びて、かつ内側に彎曲したアーム部２６とを有し、レバー本体２５の下部内側に横方向に突出する一対の枢支ピン部２７が設けられており、さらにまた、下部外側に横方向にほぼ水平に突出する一対の突起部２８が設けられている。また、枢支ピン部２７の上部は、ほぼ水平に切り欠かれていて平らな切欠面２９が設けられており、ラッチレバー１２が回動して枢支ピン部２７のこの切欠面２９が案内溝１４の案内溝面と一致した時に、案内溝１４の沿って枢支ピン部２７が下方に傾斜した方向に滑動できるように形成されている。
【００２３】
このように形成されたラッチレバー１２において、枢支ピン部２７が、台板５の側壁部２５の中程に形成された案内溝１４の上部に位置されていて、この枢支ピン部２７周りにラッチレバー１２が枢動できるように支持されている。従って、図示からも明らかなように、案内部材６のパッケージ装着部２２に載置されたＩＣパッケージ１０の周辺部分が、ラッチレバー１２の彎曲したアーム部２６の先端部によって押圧されて保持されるように形成されている。
【００２４】
このように構成された本発明のＩＣソケット１において、図１に示される状態においては、ＩＣパッケージ１０が前工程の操作によって押えられて案内部材６のパッケージ装着部２２に保持された状態にある。このような図１の状態において、操作部材３を押し下げて、フルストローク状態にまで操作部材３を押し下げれば、先ず、操作部材３の押下部材１８の下端面がラッチレバー１２の突起部２８に当接して突起部２８を下方に押すので、ラッチラバー１２は、図示の案内溝１４の上方の位置において枢支ピン部２７を中心にして外方に向って矢印Ａ方向に枢動されて、アーム部２６の先端部が、ＩＣパッケージ１０に対して外方に開いた状態になって図示の一段目の回動を行う。
【００２５】
次いで、操作部材３のさらなる押し下げによってラッチレバー１２の突起部２８が押し下げられると、この場合に、枢支ピン部２７の切欠面２９が案内溝１４の案内溝面と一致されているので、枢支ピン部２７が案内溝１４に沿って下方の傾斜した方向に滑動されるようになる。従って、この枢支ピン部２７の案内溝１４に沿った滑動によってラッチレバー１２のアーム部２６の先端部は矢印Ｂ方向に移動するようになるので、操作部材３が完全に押し下げられたフルストローク状態において、ラッチレバー１２のアーム部２６の先端部は図示の如く操作部材３の上面よりも下方の位置に位置されて操作部材３内に好適に収納されるようになる。
【００２６】
従って、この操作部材３のフルストローク状態においては、ラッチレバー１２は十分に開放されているので、装着されているＩＣパッケージ１０をバキューム部材や手動で取出したり、あるいは新たなＩＣパッケージを装着することができ、ラッチレバー１２のアーム部２６の先端部が矢印Ａ方向の一段目の回動と、矢印Ｂ方向の二段目の滑動とを行って好適にラッチレバー１２の開放作動が行なわれるようになる。
【００２７】
（実施例２）
図２乃至図４には、本発明のＩＣソケットの実施例２が示されており、図２は、本発明のＩＣソケットの実施例２における中央縦断面図で、図３は、図２の本発明の実施例２におけるＩＣソケットのフルストローク状態での図２と同様な中央縦断面図、図４は、図２と図３の本発明のＩＣソケットの実施例２におけるラッチ機構のラッチレバーの作動説明図である。
【００２８】
図２と図３に示されるように、本発明の実施例２におけるＩＣソケット５０は、先の実施例１におけると同じ様に、例えばオープン・トップ・タイプのＩＣソケットであって、固定のソケット本体５２と、このソケット本体５２に対して上下動可能に設けられたカバー部材としての操作部材５３と、ソケット本体５２内に固設された複数個のコンタクト５４と、ソケット本体５２のベース部６５上に配置された台板５５と、ＩＣパッケージ６０が挿入されて装着されるパッケージ装着部７２を有する案内部材５６と、装着されたＩＣパッケージ６０を加圧して保持するラッチ機構５７とを有している。この実施例２においても、コンタクト５４は、使用されるＩＣパッケージ６０の球状、または半球状の半田ボール等の外部端子６１に対してピン形または挟み込み形のコンタクトとして形成されており、本実施例においては、図示されるように、ピン形のコンタクト５４が使用されている。
【００２９】
本発明のこのようなＩＣソケット５０において、ソケット本体５２は、方形状の箱形を大体なしていて、中央部分にＩＣパッケージ６０を装着するための台板５５が配置される山形に突出した段階形状のベース部６５が形成されており、このベース部６５上に配置される台板５５を挟んで左右両側に対向して一対のラッチ機構５７のラッチレバー６２と、一対の押下部材６８とが設けられている。
【００３０】
この固定のソケット本体５２に対して上下動可能に設けられた操作部材５３は、開口部６６が中央部分に開口した形状の枠形をなしていて、ばね部材（図示しない）によってソケット本体５２に対して上下方向に移動可能に弾性支持されたカバー部材を形成しており、中央の開口部６６を挟んで左右両側に下方に垂下する一対の棒状またはロッド状の押下部材６８がラッチ機構５７のラッチレバー６２の突起部７８に対応して下方に延びるように設けられていて、押下部材６８の下端部分に折曲して設けられた下端押下部６９がラッチラバー７２の横方向に突出した突起部７２に係合して押下げることができるようになっている。
【００３１】
台板５５は、ソケット本体５２の中央のベース部６５上に配置されており、このベース部６５を覆うように倒立した逆さの箱形をなしていて、平らな上面７３部分上に、格子状に形成されたパッケージ装着部７２が配設されていて、コンタクト５４の先端部が格子の隙間から上方に突出できるようになっており、周囲の側壁部７４が下方に垂下するスカート状に形成されていて、この左右の側壁部２４の下部に外方に突出するフランジ部８１が設けられており、ラッチ機構５７のラッチレバー６２の枢支ピン部７７が係合して枢動できるように形成されている。
【００３２】
また、ＩＣパッケージ６０が装着される案内部材５６は、操作部材５３の開口部６６に対応した平面形状に形成されており、中央部にほぼ四角形に開口した空間部分が形成されていてＩＣパッケージ６０を装着するための、ＩＣパッケージ６０の外部端子６１が嵌合される孔が形成されたパッケージ装着部７２が設けられており、さらに、このパッケージ装着部７２に向ってＩＣパッケージ６０を装着すべく案内するための傾斜したガイド部分が設けられている。
【００３３】
さらに、ラッチ機構５７は、ラッチレバー６２を有しており、このラッチレバー６２は、ほぼ三角形状または台形状のレバー本体７１と、このレバー本体７１から上方に延びて、かつ内側に彎曲したアーム部７６とを有し、レバー本体７５の下部内側に横方向に突出する一対の枢支ピン部７７が設けられると共に、下部外側に横方向にほぼ水平に突出する一対の突起部７８が設けられており、さらに、アーム部７６のほぼ中程に回動軸８０が設けられていて、この回動軸８０まわりにラッチレバー６２が一段目の回動ができるように形成されている。また、ラッチレバー６２の枢支ピン部７７は、下部が半円形状に形成されていて、ラッチレバー７２がフランジ部８１上で回動して枢支ピン部７７まわりに二段目の枢動ができるように構成されている。
【００３４】
このように形成されたラッチレバー６２を有する本発明のＩＣソケット５０において、回動軸８０がレバー本体７５の上方にてアーム部７６のほぼ中程に形成されていて、この回動軸８０まわりにラッチレバー６２が回動でき、かつ枢支ピン部７７が側壁部７４に当接した時にフランジ部８１上において枢支ピン部７７まわりにラッチレバー６２が枢動できるように支持されている。従って、図示から明らかなように、案内部材５６のパッケージ装着部７２に載置されたＩＣパッケージ６０の周辺部分が、ラッチレバー６２の彎曲したアーム部７６の先端部によって押圧されて保持されるように形成されている。
【００３５】
このように構成された本発明のＩＣソケット５０において、図２に示される状態においては、ＩＣパッケージ６０が前工程の操作によってラッチレバー６２によって押えられていて、案内部材５６のパッケージ装着部７２に保持された状態にある。このような図２の状態において、操作部材５３を押し下げて、フルストローク状態にまで操作部材５３を押し下げれば、操作部材５３の押下部材６８の下端押下部６９の下端面がラッチレバー６２の突起部７８に当接して突起部７８を下方に押すので、ラッチレバー６２は、先ず、回動軸８０を中心にして外方に向って矢印Ａ’方向に回動されて、アーム部７６の先端部が外方に開いて上方に持ち上げられた状態になって図示の一段目の回動を行う。
【００３６】
次いで、操作部材５３のさらなる押し下げによってラッチレバー６２の突起部７８が押し下げられると、この場合には、枢支ピン部７７が台板５５の側壁部７４に当たっているので、ラッチレバー６２は、回動軸８０を中心とした回動を行うことができず、枢支ピン部７７を支点としてラッチレバー６２が外方に枢動されるようになり、低い位置にてラッチレバー６２のアーム部７６の先端部が移動するようになる。もしも、ラッチレバー６２が続けて回動軸８０を中心として回動するのであれば、図３に示されるように、ラッチレバー６２のアーム部７６の先端部が操作部材５３の上面から上方に突出して邪魔になり、操作部材５３内に収納することができない。
【００３７】
従って、このようなラッチレバー６２のこの枢支ピン部７７を支点とする回動によって、ラッチレバー６２のアーム部７６の先端部は、図４の矢印Ｂ’方向に枢動して移動するようになって、二段目の枢動を行うようになるので、操作部材５３が完全に押し下げられた図３のフルストローク状態において、ラッチレバー６２のアーム部７６の先端部は、図３、図４に示される如く操作部材５３の上面よりも下方の位置に位置され、上方に突き出ることが無く、かつ操作部材５３内に好適に収納されるようになる。
【００３８】
従って、この操作部材５３のフルストローク状態においては、ラッチレバー６２は十分に開放されているので、装着されているＩＣパッケージ６０をバキューム部材や手動で取出したり、あるいは新たなＩＣパッケージを装着することができ、ラッチレバー６２のアーム部７６の先端部が矢印Ａ’方向の一段目の回動と、矢印Ｂ’方向の二段目の枢動とを行って好適にラッチレバー６２の開放作動が行なわれるようになる。
【００３９】
しかも、このような本発明の実施例２のＩＣソケット５０においては、ラッチレバー６２のアーム部７６の先端部が案内部材５６のパッケージ装着部７２に装着されたＩＣパッケージ６０をしっかりと押圧して浮き上がり無く保持することができるし、開放時にはラッチレバー６２のアーム部７６の先端部が矢印Ｂ’方向に沿った低い軌跡を描くように枢支ピン部７７を中心とした回動を行うことができ、しかも操作部材５３内にラッチレバー６２を好適に収納することができ、操作部材５３の上面から上方に何等突出するようなことが無く、邪魔にならない。
【００４０】
【発明の効果】
本発明の請求項１記載のＩＣソケットは、電子部品が装着される案内部材と、該案内部材が設置されるソケット本体と、該ソケット本体に対して上下動可能に設けられた操作部材と、前記案内部材に装着された電子部品を保持するラッチ機構と、前記電子部品と接続される複数個のコンタクトとを有するＩＣソケットにおいて、前記ラッチ機構が、回動と滑動との二段作動を行って開放作動されるラッチレバーを有するので、ラッチ機構の開放作動を低い位置にて行うことができ、操作部材の上方に大きく突き出るようなことが無く、しかも好適に操作部材内に収納することができる。
【００４１】
本発明の請求項２記載のＩＣソケットは、前記ラッチレバーが、レバー本体と、該レバー本体の上方内側に向って彎曲したアーム部とを有し、下部内側に枢支ピン部が設けられているので、ラッチレバーが回動と滑動との二段作動を行うことができ、長いラッチレバーでも特別な手段を追加すること無く収納することができる。
【００４２】
本発明の請求項３記載のＩＣソケットは、前記ラッチレバーの枢支ピン部が滑動する下方に傾斜した案内溝が設けられているので、ラッチレバーが案内溝に沿った下方への枢支ピン部の滑動によって好適に引き込め作動され、良好なラッチレバーの開放作動が得られる。
【００４３】
本発明の請求項４記載のＩＣソケットは、前記ラッチレバーが、前記枢支ピン部まわりに一段目の回動を行い、ついで前記枢支ピン部が前記案内溝に沿って下方斜めに二段目の滑動を行って開放されるので、ラッチレバーのアーム部の先端部が大きく突出することが無く、好適に開放作動され、ラッチレバーが良好に収納されるようになる。
【００４４】
本発明の請求項５記載のＩＣソケットは、電子部品が装着される案内部材と、該案内部材が設置されるソケット本体と、該ソケット本体に対して上下動可能に設けられた操作部材と、前記案内部材に装着された電子部品を保持するラッチ機構と、前記電子部品と接続される複数個のコンタクトとを有するＩＣソケットにおいて、前記ラッチ機構が、回動と枢動の二段作動を行って開放作動されるラッチレバーを有するので、ラッチ機構の開放作動を低い位置にて行うことができ、操作部材の上方に大きく突き出るようなことが無く、しかも好適に操作部材内に収納することができる。
【００４５】
本発明の請求項６記載のＩＣソケットは、前記ラッチレバーが、レバー本体と、該レバー本体の上方内側に向って彎曲したアーム部とを有し、上部に回動軸が設けられ、下部内側に枢支ピン部が設けられているので、ラッチレバーが、回動軸を中心とする一段目の回動と、枢支ピン部を中心とする二段目の枢動とを行って開放作動することができ、ラッチレバーの開放作動の軌跡を低い位置に定めることができ、上方に大きく突出することが無いので、邪魔になることが無く、好適に開放作動を行うことができ、かつ良好に収容することができる。
【００４６】
本発明の請求項７記載のＩＣソケットは、前記ラッチレバーが、前記回動軸まわりに一段目の回動を行い、ついで前記枢支ピン部まわりに二段目の枢動を行って開放作動されるので、ラッチ機構の開放作動を低い位置にて行ってラッチレバーを好適に引き込み作動することができ、操作部材の上方に大きく突き出るようなことが無く、しかも好適に操作部材内に収納することができる。
【図面の簡単な説明】
【図１】本発明のＩＣソケットの実施例１における中央縦断面図である。
【図２】本発明のＩＣソケットの実施例２における中央縦断面図である。
【図３】図２の本発明の実施例２におけるＩＣソケットのフルストローク状態での図２と同様な中央縦断面図である。
【図４】図２と図３の本発明のＩＣソケットの実施例２におけるラッチ機構のラッチレバーの作動説明図である。
【図５】従来のＩＣソケットの中央縦断面図である。
【符号の説明】
１　　　ＩＣソケット
２　　　ソケット本体
３　　　操作部材
４　　　コンタクト
５　　　台板
６　　　案内部材
７　　　ラッチ機構
１０　　ＩＣパッケージ
１１　　外部端子
１２　　ラッチレバー
１５　　ベース部
１６　　開口部
１８　　押下部材
２２　　パッケージ装着部
２３　　上面
２４　　側壁部
２５　　レバー本体
２６　　アーム部
２７　　枢支ピン部
２８　　突起部
２９　　切欠面
５０　　ＩＣソケット
５２　　ソケット本体
５３　　操作部材
５４　　コンタクト
５５　　台板
５６　　案内部材
５７　　ラッチ機構
６０　　ＩＣパッケージ
６１　　外部端子
６２　　ラッチレバー
６５　　ベース部
６６　　開口部
６８　　押下部材
６９　　下端押下部
７２　　パッケージ装着部
７３　　上面
７４　　側壁部
７５　　レバー本体
７６　　アーム部
７７　　枢支ピン部
７８　　突起部
８０　　回動軸
８１　　フランジ部
１００　ＩＣソケット
１０２　ソケット本体
１０３　操作部材
１０４　コンタクト
１０５　台板
１０６　案内部材
１０７　ラッチ機構
１０８　パッケージ装着部
１１０　ＩＣパッケージ
１１１　外部端子
１１２　ラッチレバー
１１５　ベース部
１１８　押下部材
１２０　段部
１２６　アーム部
１２７　枢支ピン部
１２８　突起部
【図１】
2004063224.tif 000003
【図２】
2004063224.tif 000004
【図３】
2004063224.tif 000005
【図４】
2004063224.tif 000006
【図５】
2004063224.tif 000007